(57)【要約】【課題】  レーザー墨出し装置用回転ベース機構において、ライン照射部を有するユニット部をベース部５の上で手動または電動駆動によって水平面内で回転する時にベース部の回転結合部に微妙なガタや回転時の摩擦トルクの変動によって生じる手動感覚上の違和感及び電気制御上の不都合を防止する。【解決手段】  レーザーライン照射部を有するユニット部と、該ユニット部と回転自在に結合され複数の伸縮可能な脚を有するベース部とによって構成されたレーザー墨出し装置において、該ユニット部とベース部の回転結合部に軸方向に可撓性を有するクッション部材を挟持せしめると共に軸方向の隙間調整機構を設けたレーザー墨出し装置用回転ベース機構を提供するものである。【選択図】  図１
0003139385.tif 000002
【実用新案登録請求の範囲】
【請求項１】
整準機構によって地墨ラインを鉛直に保つごとく支持されるレーザーライン照射部を有するユニット部と、該ユニット部と回転自在に結合され複数の伸縮可能な脚を有するベース部とによって構成されたレーザー墨出し装置において、該ユニット部とベース部の回転結合部に軸方向に可撓性を有するクッション部材を挟持せしめると共に軸方向の隙間調整機構を設けたことを特徴とするレーザー墨出し装置用回転ベース機構。
【考案の詳細な説明】
【技術分野】
【０００１】
本考案は、土木、建築、機械装置の設置時に使用するライン状のレーザー光線を射出する方式の墨出し装置に関するものであり、特に照射ラインを水平方向に回転させる場合に用いる回転ベース機構に関するものである
【背景技術】
【０００２】
現在、上記目的で使用するレーザー墨出し装置としては、単に手動で回転可能なものと電動駆動機構を備え、外部からの制御で所定の角度まで回転可能なものも有る。  両者に共通する課題として、レーザーライン照射部を有するユニット部と複数の伸縮可能な脚を有するベース部の回転結合部に微妙なガタや回転時の摩擦トルクの変動があり、手動感覚上又、モーター制御上に不都合があるが良好な解決策が見出されていない。  
【０００３】
上記課題を解決する為には、スライド面の一方に潤滑コーティングをする方式が特許出願されている。
【特許文献１】特開  ２００４‐１１７３３０    しかし、この方式では製造上のわずかな寸法誤差によって回転トルクが全体的に大きく変化し、又回転角度位置によるガタ及び回転トルク変動を解決することは出来ない。
【考案の開示】
【考案が解決しようとする課題】
【０００４】
本考案が解決しようとする課題は、レーザーライン照射部を有するユニット部と複数の伸縮可能な脚を有するベース部の回転結合部に微妙なガタや回転時の摩擦トルクの変動を合理的な方法で安価にしかも確実に解決することである。
【課題を解決するための手段】
【０００５】
本考案は、上記背景の下に成立するものであり、本考案の課題を解決するための手段は、整準機構によって測定基準点としての地墨ラインを鉛直に保つごとく支持されるレーザーライン照射部を有するユニット部と、該ユニット部と回転自在に結合され複数の伸縮可能な脚を有するベース部とによって構成されたレーザー墨出し装置において、該ユニット部とベース部の回転結合部に軸方向に可撓性を有するクッション部材を挟持せしめると共に軸方向の隙間調整機構を設けた墨出し装置用回転ベース機構を提供するものである。
【考案の効果】
【０００６】
本考案は、上記手段により、レーザーライン照射部を有するユニット部と複数の伸縮可能な脚を有するベース部の回転結合部に微妙なガタや回転時の摩擦トルクの変動を合理的な方法で安価にしかも確実に解決することが出来る。
【考案を実施するための最良の形態】
【０００７】
本考案の構成は、図示しない整準機構によって測定基準点としての地墨ラインを鉛直に保つごとく支持されるレーザーライン照射部を有するユニット部と、該ユニット部と回転自在に結合され複数の伸縮可能な脚を有するベース部とによって構成されたレーザー墨出し装置において、該ユニット部の穴と回転自在に嵌合するベース部の回転結合部に軸方向に可撓性を有するクッション部材を挟持せしめると共に軸方向の隙間調整用のナットを設けた墨出し装置用回転ベース機構である。
【実施例１】
【０００８】
以下図について本考案の実施形態について説明する。
図１は、本考案のレーザー墨出し装置用回転ベース機構の一実施形態の構造を示す側断面図である。
図１において、図示しない整準機構によって測定基準点としての地墨ライン１を鉛直に保つごとく支持されるレーザーライン照射部２を有するユニット部３と、該ユニット部３と回転自在に結合され複数の伸縮可能な脚４を有するベース部５とによって構成されたレーザー墨出し装置において、該ユニット部３の穴６と回転自在に嵌合するベース部５の回転結合部７にＯリングなどによる軸方向に可撓性を有するクッション部材８を挟持せしめると共に回転結合部７のネジ部９と係合する軸方向の隙間調整用のナット１０、１１を設けた墨出し装置用回転ベース機構である。  尚、カバーなど本考案に関与しない部分は省略し、ライン照射部など公知の部分は鎖線で表示している。
【０００９】
本機構の組み立て調整においては、ユニット部３の穴６とベース部５の回転結合部７を回転自在に嵌合せしめ、Ｏリングなどによる軸方向に可撓性を有するクッション部材８を回転結合部７の上にセットしてネジ部９にナット１０を係合せしめて、クッション部材８をある程度圧縮した状態とし、ナット１１で固定する。  ナット１０と１１は中空のカニ目ツールによって一方を固定しながら他方を回転できるごとく形成されていることが望ましい。  又、クッション部材８には適量の潤滑剤が塗布されていることが望ましい。
【００１０】
図１に示す本考案の作用について説明する。
図１において、複数の伸縮可能な脚４によって傾きを修正しほぼ水平にセットされたベース部５の上で、図示しない整準機構によって測定基準点としての地墨ライン１を正確に鉛直に保たれたユニット部３の有するレーザーライン照射部２から照射するラインの方向を、手動または電動駆動によって水平面内で回転する時に、クッション部材８を圧縮した状態で生じる圧力によって安定した摩擦力が得られると共に、側面から力が加わった場合でもこの圧力によってユニット部３が傾くのを防止することが出来る。  従って、手動による場合は回転摩擦の不連続な変化によって生じる感覚的な違和感を防止することが出来る。  一方電動駆動による場合は、摩擦トルクの変動によるモーター制御の不具合を防止することが出来る。
【００１１】
以上の説明で明らかなごとく、レーザーライン照射部２を有するユニット部３をベース部５の上で手動または電動駆動によって水平面内で回転する時に、ベース部５の回転結合部７における微妙なガタによってユニット部３に側面から力が加わった場合にユニット部３が傾くことおよび回転時の摩擦トルクの変動によって生じる手動感覚上の違和感やモーター駆動時の電気制御上の不都合を、隙間調整用のナット１０、１１によるクッション部材８の適度な圧縮によって生じる圧力とそれによる安定した摩擦力によって防止することが出来るものであり、そのレーザー墨出し作業における実用上の効果は極めて著しい。
【図面の簡単な説明】
【００１２】
【図１】本考案のレーザー墨出し装置用回転ベース機構の一実施形態の構造を示す側断面図。
【符号の説明】
【００１３】
１：地墨ライン
２：レーザーライン照射部
３：ユニット部
４：脚
５：ベース部
６：穴
７：回転結合部
８：クッション部材
９：ネジ部
１０：ナット
１１：ナット
【図１】
0003139385.tif 000003